(57)【要約】  基地局装置は、ユーザ装置と通信を行い、同期信号及びシステム情報が含まれる１又は複数のブロックから構成されるブロックセットの送信周期を示す情報を、前記ブロックに設定する設定部と、前記送信周期で前記ブロックセットを前記ユーザ装置に送信し、前記ブロックに含まれるシステム情報に基づいて、前記ユーザ装置と初期アクセスを行う通信部とを有する。
2018203417.tif 000002
【特許請求の範囲】
【請求項１】
ユーザ装置と通信を行う基地局装置であって、
同期信号及びシステム情報が含まれる１又は複数のブロックから構成されるブロックセットの送信周期を示す情報を、前記ブロックに設定する設定部と、
前記送信周期で前記ブロックセットを前記ユーザ装置に送信し、前記ブロックに含まれるシステム情報に基づいて、前記ユーザ装置と初期アクセスを行う通信部とを有する基地局装置。
【請求項２】
前記ブロックは、前記ブロックの時間的位置を示す情報をさらに含む請求項１記載の基地局装置。
【請求項３】
前記ブロックの時間的位置を示す情報は、前記ブロックセットごとに定義され、さらに、前記送信周期に関連付けられる請求項２記載の基地局装置。
【請求項４】
前記ブロックは、前記送信周期、前記ブロックセットの構造又は前記ブロックの時間的位置に関連付けられる予め定義された符号を含み、前記符号は、前記システム情報を含むチャネルに明示的又は暗黙的に符号化される請求項１記載の基地局装置。
【請求項５】
基地局装置と通信を行うユーザ装置であって、
同期信号及びシステム情報が含まれる１又は複数のブロックから構成されるブロックセットの送信周期を示す情報を含む前記ブロックを前記基地局装置から受信し、前記送信周期に基づいて前記ブロックを受信する受信部と、
前記ブロックに含まれるシステム情報に基づいて、前記基地局装置と初期アクセスを行う制御部とを有するユーザ装置。
【請求項６】
ユーザ装置と通信を行う基地局装置が実行する通信方法であって、
同期信号及びシステム情報が含まれる１又は複数のブロックから構成されるブロックセットの送信周期を示す情報を、前記ブロックに設定する設定手順と、
前記送信周期で前記ブロックセットを前記ユーザ装置に送信する送信手順と、
前記ブロックに含まれるシステム情報に基づいて、前記ユーザ装置と初期アクセスを行う通信手順とを実行する通信方法。
【発明の詳細な説明】
【技術分野】
【０００１】
本発明は、無線通信システムにおける基地局装置、ユーザ装置及び通信方法に関連するものである。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）では、システム容量の更なる大容量化、データ伝送速度の更なる高速化、無線区間における更なる低遅延化等を実現するために、５ＧあるいはＮＲ（Ｎｅｗ  Ｒａｄｉｏ）と呼ばれる無線通信方式（以下、当該無線通信方式を「ＮＲ」という。）の検討が進んでいる。ＮＲでは、１０Ｇｂｐｓ以上のスループットを実現しつつ無線区間の遅延を１ｍｓ以下にするという要求条件を満たすために、様々な無線技術の検討が行われている。【０００３】
ＮＲでは、ユーザ装置と基地局装置とが接続を確立する際の初期アクセスにおいて、基地局装置から送信される同期信号によるセル検出及びセル同定、及び初期アクセスに必要なシステム情報の一部の取得が、ユーザ装置によって行われる（例えば非特許文献１）。【０００４】
また、ＮＲでは、ＬＴＥ（Ｌｏｎｇ  Ｔｅｒｍ  Ｅｖｏｌｕｔｉｏｎ）と同様の低い周波数帯から、ＬＴＥよりも更に高い周波数帯までの幅広い周波数を使用することが想定されている。特に、高周波数帯では伝搬ロスが増大することから、当該伝搬ロスを補うために、ビーム幅の狭いビームフォーミングを適用することが検討されている（例えば非特許文献２）。
【先行技術文献】
【非特許文献】
【０００５】
【非特許文献１】３ＧＰＰ  ＴＳ  ３６．２１３  Ｖ１４．２．０  （２０１７−０３）
【非特許文献２】３ＧＰＰ  ＴＳ  ３６．２１１  Ｖ１４．２．０  （２０１７−０３）
【発明の概要】
【発明が解決しようとする課題】
【０００６】
ＮＲにおいて、初期アクセスに必要な同期信号及びシステム情報の一部は、連続したＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルから構成されるＳＳ  ｂｌｏｃｋ（Ｓｙｎｃｈｒｏｎｉｚａｔｉｏｎ  Ｓｉｇｎａｌ  ｂｌｏｃｋ）と呼ばれるリソースユニットで、無線フレームにマッピングされる。また、ＳＳ  ｂｌｏｃｋは、１又は複数のＳＳ  ｂｌｏｃｋを含むＳＳ  ｂｕｒｓｔ、１又は複数のＳＳ  ｂｕｒｓｔを含むＳＳ  ｂｕｒｓｔ  ｓｅｔを構成する。ＳＳ  ｂｕｒｓｔ  ｓｅｔが基地局装置から送信される周期は、ＳＳ  ｂｕｒｓｔ  ｓｅｔ  ｐｅｒｉｏｄｉｃｉｔｙとして、既定値が２０ｍｓで定義されている。【０００７】
ここで、ＳＳ  ｂｕｒｓｔ  ｓｅｔ  ｐｅｒｉｏｄｉｃｉｔｙは、既定値の２０ｍｓ以外の値（例えば、５ｍｓ、１０ｍｓ、８０ｍｓ等）が混在して設定される場合がある。そのため、ユーザ装置が想定する値とは異なる値が、ＳＳ  ｂｕｒｓｔ  ｓｅｔ  ｐｅｒｉｏｄｉｃｉｔｙに設定されるケースが考えられる。【０００８】
本発明は上記の点に鑑みてなされたものであり、基地局装置とユーザ装置とを有する無線通信システムにおいて、基地局装置が同期信号及びシステム情報が含まれるブロックセットの送信周期をユーザ装置に通知することで、基地局装置とユーザ装置との間で効率の良い初期アクセスを実現する技術を提供することを目的とする。
【課題を解決するための手段】
【０００９】
開示の技術によれば、ユーザ装置と通信を行う基地局装置であって、同期信号及びシステム情報が含まれる１又は複数のブロックから構成されるブロックセットの送信周期を示す情報を、前記ブロックに設定する設定部と、前記送信周期で前記ブロックセットを前記ユーザ装置に送信し、前記ブロックに含まれるシステム情報に基づいて、前記ユーザ装置と初期アクセスを行う通信部とを有する基地局装置が提供される。
【発明の効果】
【００１０】
開示の技術によれば、基地局装置とユーザ装置とを有する無線通信システムにおいて、基地局装置が同期信号及びシステム情報が含まれるブロックセットの送信周期をユーザ装置に通知することで、基地局装置とユーザ装置との間で効率の良い初期アクセスを実現する技術が提供される。
【図面の簡単な説明】
【００１１】
【図１】本発明の実施の形態における無線通信システムの構成図である。
【図２】初期アクセスの動作例（１）を示す図である。
【図３】初期アクセスの動作例（２）を示す図である。
【図４】初期アクセスの動作例（３）を示す図である。
【図５】ＳＳ  ｂｌｏｃｋ  ｉｎｄｅｘの通知例（１）を示す図である。
【図６】ＳＳ  ｂｌｏｃｋ  ｉｎｄｅｘの通知例（２）を示す図である。
【図７】本発明の実施の形態における初期アクセスのシーケンスの一例を示す図である。
【図８】本発明の実施の形態におけるＳＳ  ｂｕｒｓｔ  ｓｅｔ  ｐｅｒｉｏｄｉｃｉｔｙの通知例（１）を示す図である。
【図９】本発明の実施の形態におけるＳＳ  ｂｕｒｓｔ  ｓｅｔ  ｐｅｒｉｏｄｉｃｉｔｙの通知例（２）を示す図である。
【図１０】本発明の実施の形態におけるＳＳ  ｂｕｒｓｔ  ｓｅｔ  ｐｅｒｉｏｄｉｃｉｔｙの通知例（３）を示す図である。
【図１１】基地局装置１００の機能構成の一例を示す図である。
【図１２】ユーザ装置２００の機能構成の一例を示す図である。
【図１３】基地局装置１００及びユーザ装置２００のハードウェア構成の一例を示す図である。
【発明を実施するための形態】
【００１２】
以下、図面を参照して本発明の実施の形態を説明する。なお、以下で説明する実施の形態は一例に過ぎず、本発明が適用される実施の形態は、以下の実施の形態に限られるわけではない。
【００１３】
本実施の形態の無線通信システムが動作するにあたっては、適宜、既存技術を使用できる。ただし、当該既存技術は例えば既存のＬＴＥであるが、既存のＬＴＥに限られない。また、本明細書で使用する「ＬＴＥ」は、特に断らない限り、ＬＴＥ−Ａｄｖａｎｃｅｄ、及び、ＬＴＥ−Ａｄｖａｎｃｅｄ以降の方式（例：ＮＲ）を含む広い意味を有するものとする。
【００１４】
また、以下で説明する実施の形態では、既存のＬＴＥで使用されているＳＳ（Ｓｙｎｃｌｏｎｉｚａｔｉｏｎ  Ｓｉｇｎａｌ）、ＰＳＳ（Ｐｒｉｍａｒｙ  ＳＳ）、ＳＳＳ（Ｓｅｃｏｎｄａｒｙ  ＳＳ）、ＰＢＣＨ（Ｐｈｙｓｉｃａｌ  ｂｒｏａｄｃａｓｔ  ｃｈａｎｎｅｌ）等の用語を使用しているが、これは記載の便宜上のためであり、これらと同様の信号、機能等が他の名称で呼ばれてもよい。また、ＮＲにおける上述の用語を、ＮＲ−ＳＳ、ＮＲ−ＰＳＳ、ＮＲ−ＳＳＳ、ＮＲ−ＰＢＣＨ等と表記する。
【００１５】
以下では、システム全体構成、初期アクセスの例を基本例として説明し、その後本発明の実施の形態における実施例１−３を説明する。実施例１−３は、基本例をベースとする。ただし、実施例１−３は、基本例以外のシステム又は初期アクセスをベースとしてもよい。
【００１６】
（基本例）
＜システム全体構成＞
図１は、本発明の実施の形態における無線通信システムの構成図である。本発明の実施の形態における無線通信システムは、図１に示すように、基地局装置１００及びユーザ装置２００を含む。図１には、基地局装置１００及びユーザ装置２００が１つずつ示されているが、これは例であり、それぞれ複数であってもよい。
【００１７】
基地局装置１００は、１つ以上のセルを提供し、ユーザ装置２００と無線通信を行う通信装置である。図１に示されるように、基地局装置１００は、同期信号及びシステム情報をユーザ装置２００に送信する。同期信号は、例えば、ＮＲ−ＰＳＳ及びＮＲ−ＳＳＳである。システム情報は、例えば、ＮＲ−ＰＢＣＨにて送信される。基地局装置１００及びユーザ装置２００とはいずれも、ビームフォーミングを行って信号の送受信を行うことが可能である。ユーザ装置２００は、スマートフォン、携帯電話機、タブレット、ウェアラブル端末、Ｍ２Ｍ（Ｍａｃｈｉｎｅ−ｔｏ−Ｍａｃｈｉｎｅ）用通信モジュール等の無線通信機能を備えた通信装置であり、基地局装置１００に無線接続し、無線通信システムにより提供される各種通信サービスを利用する。初期アクセスの段階において、図１に示されるように、ユーザ装置２００は、ランダムアクセスのプリアンブル信号を基地局装置１００に送信する。当該ランダムアクセスは、基地局装置１００から受信したＮＲ−ＰＢＣＨによるシステム情報に加え、ＮＲ−ＰＤＳＣＨ（Ｐｈｙｓｉｃａｌ  ｄｏｗｎｌｉｎｋ  ｓｈａｒｅｄ  ｃｈａｎｎｅｌ）によるシステム情報に基づいて行われる。本実施の形態において、複信（Ｄｕｐｌｅｘ）方式は、ＴＤＤ（Ｔｉｍｅ  Ｄｉｖｉｓｉｏｎ  Ｄｕｐｌｅｘ）方式でもよいし、ＦＤＤ（Ｆｒｅｑｕｅｎｃｙ  Ｄｉｖｉｓｉｏｎ  Ｄｕｐｌｅｘ）方式でもよい。
【００１８】
また、以下の説明において、送信ビームを用いて信号を送信することは、プリコーディングベクトルが乗算された（プリコーディングベクトルでプリコードされた）信号を送信することと同義である。同様に、受信ビームを用いて信号を受信することは、所定の重みベクトルを受信した信号に乗算することと同義である。また、送信ビームを用いて信号を送信することは、特定のアンテナポートで信号を送信することと表現されてもよい。同様に、受信ビームを用いて信号を受信することは、特定のアンテナポートで信号を受信することと表現されてもよい。アンテナポートとは、３ＧＰＰの規格で定義されている論理アンテナポートを指す。なお、送信ビーム及び受信ビームの形成方法は、上記の方法に限られるわけではない。例えば、複数アンテナを備える基地局装置１００及びユーザ装置２００において、それぞれのアンテナの角度を変える方法を用いてもよいし、プリコーディングベクトルを用いる方法とアンテナの角度を変える方法を組み合わせる方法を用いてもよいし、その他の方法を用いてもよい。また、例えば、高周波数帯において、複数の互いに異なる送信ビームが使用されてもよい。複数の送信ビームが使用されることを、マルチビーム運用といい、ひとつの送信ビームが使用されることを、シングルビーム運用という。
【００１９】
＜初期アクセスの例＞
図２は、初期アクセスの動作例（１）を示す図である。図２、図３及び図４における初期アクセスは、異なるＳＳ  ｂｕｒｓｔ  ｓｅｔ  ｐｅｒｉｏｄｉｃｉｔｙが混在する場合の動作である。また、図２、図３及び図４においては、ＳＳ  ｂｕｒｓｔ  ｓｅｔ  ｐｅｒｉｏｄｉｃｉｔｙは、基地局装置１００からユーザ装置２００に通知されない。ＳＳ  ｂｕｒｓｔ  ｓｅｔ  ｐｅｒｉｏｄｉｃｉｔｙとは、ＳＳ  ｂｕｒｓｔ  ｓｅｔが、基地局装置１００からユーザ装置２００へ送信される周期である。ＳＳ  ｂｕｒｓｔ  ｓｅｔとは、１つ又は複数のＳＳ  ｂｌｏｃｋを含む周期的なリソース群である。ＳＳ  ｂｌｏｃｋとは、１つのＮＲ−ＰＳＳ、１つのＮＲ−ＳＳＳ及び２つから４つのＮＲ−ＰＢＣＨから構成されるリソースユニットである。ＮＲ−ＰＳＳは、基地局装置１００からユーザ装置２００へ送信されるＮＲにおけるＰＳＳであり、少なくとも初期の時間及び周波数同期に使用される。ＮＲ−ＳＳＳは、基地局装置１００からユーザ装置２００へ送信されるＮＲにおけるＳＳＳであり、少なくともセルＩＤ（ｉｄｅｎｔｉｔｙ）の検出に使用される。ＮＲ−ＰＢＣＨは、基地局装置１００からユーザ装置２００へ送信されるＮＲにおけるＰＢＣＨであり、ＮＲ−ＰＳＳ及びＮＲ−ＳＳＳを検出後、初期アクセスに必要なシステム情報の一部、例えば、システムフレーム番号（ＳＦＮ：Ｓｙｓｔｅｍ  Ｆｒａｍｅ  Ｎｕｍｂｅｒ）及び他のシステム情報を取得するための情報等が送信されるチャネルである。
【００２０】
図２に示されるように、基地局装置１００からユーザ装置２００へ送信される無線信号は、２０ｍｓ周期のＮＲ−ＰＢＣＨを含む。ＳＳ  ｂｕｒｓｔ  ｓｅｔ  ｐｅｒｉｏｄｉｃｉｔｙは、Ｄｅｆａｕｌｔ値である２０ｍｓとする。なお、ＳＳ  ｂｕｒｓｔ  ｓｅｔ  ｐｅｒｉｏｄｉｃｉｔｙのＤｅｆａｕｌｔ値は、２０ｍｓから変更されてもよく、例えば、１０ｍｓであってもよい。図２において、システム情報を取得してＳＦＮを特定する動作について説明するため、ＮＲ−ＰＢＣＨのみ図示しているが、ＮＲ−ＰＳＳ及びＮＲ−ＳＳＳも、ＮＲ−ＰＢＣＨと同様のタイミングで基地局装置１００からユーザ装置へ送信される。すなわち、図２において、ＳＳ  ｂｌｏｃｋは、２０ｍｓ周期で基地局装置１００からユーザ装置へ送信される。
【００２１】
ここでは、ユーザ装置２００は、ＮＲ−ＰＢＣＨの更新周期である８０ｍｓの周期の中から、ＮＲ−ＰＢＣＨを４回取得して、ＳＦＮを特定するものとする。ＮＲにおける１Ｒａｄｉｏ  ｆｒａｍｅが１０ｍｓ固定長であるとした場合、ＳＦＮは、１０ｍｓごとに１増加する。したがって、ＳＦＮの下位３ビットが、ＮＲ−ＰＢＣＨのデコード時に暗黙的に取得される。すなわち、ＮＲ−ＰＢＣＨは、ＳＦＮの下位３ビットはシステム情報に明示的には含まれないＬＴＥと同様の構成を有しているとするが、例えば、システム情報に明示的に含まれるＳＦＮのビット数の変更、繰り返し周期又は回数の変更等、当該構成はＮＲにおいて変更されてもよい。
【００２２】
図２において、ユーザ装置２００が想定するＳＳ  ｂｕｒｓｔ  ｓｅｔ  ｐｅｒｉｏｄｉｃｉｔｙは、実際のＳＳ  ｂｕｒｓｔ  ｓｅｔ  ｐｅｒｉｏｄｉｃｉｔｙと同一の２０ｍｓとする。図２に示されるように、ユーザ装置２００は、８０ｍｓの期間に、ＮＲ−ＰＢＣＨを４回取得する。ユーザ装置２００は、ＮＲ−ＳＳを検出し、ＮＲ−ＰＢＣＨを４回取得して、ＮＲ−ＰＢＣＨの繰り返し周期を確認し、ＳＦＮを特定することができる。ユーザ装置２００が想定するＳＳ  ｂｕｒｓｔ  ｓｅｔ  ｐｅｒｉｏｄｉｃｉｔｙが実際のＳＳ  ｂｕｒｓｔ  ｓｅｔ  ｐｅｒｉｏｄｉｃｉｔｙと同一であるため、セルサーチに関する動作に支障は発生せず、上述の動作の後、ユーザ装置２００は、初期アクセス動作の次の手順に進むことができる。
【００２３】
図３は、初期アクセスの動作例（２）を示す図である。図３において、ユーザ装置２００が想定するＳＳ  ｂｕｒｓｔ  ｓｅｔ  ｐｅｒｉｏｄｉｃｉｔｙは、実際のＳＳ  ｂｕｒｓｔ  ｓｅｔ  ｐｅｒｉｏｄｉｃｉｔｙよりも短い１０ｍｓとする。図３に示されるように、ユーザ装置２００は、４０ｍｓの期間に、ＮＲ−ＰＢＣＨを多くとも２回しか取得できない。また、ユーザ装置２００は、想定するＳＳ  ｂｕｒｓｔ  ｓｅｔ  ｐｅｒｉｏｄｉｃｉｔｙが１０ｍｓのため、設定されるＳｅａｒｃｈ  Ｗｉｎｄｏｗ内にＮＲ−ＳＳが検出されず、セルサーチに失敗する可能性がある。ＮＲ−ＳＳが検出できない場合、ユーザ装置２００は、初期アクセスに失敗する。ユーザ装置２００は、セルサーチに失敗した後、上位層等から設定される初期アクセスに要する許容時間によっては、再度セルサーチを実行して、ＮＲ−ＳＳを探索することは可能である。
【００２４】
また、ユーザ装置２００は、想定するＳＳ  ｂｕｒｓｔ  ｓｅｔ  ｐｅｒｉｏｄｉｃｉｔｙが１０ｍｓのとき、ＮＲ−ＰＢＣＨの１送信周期のすべてのＮＲ−ＰＢＣＨを取得できない可能性がある。例えば、図２においては、実際のＳＳ  ｂｕｒｓｔ  ｓｅｔ  ｐｅｒｉｏｄｉｃｉｔｙが２０ｍｓであるため、ＮＲ−ＰＢＣＨの１送信周期は２つのＮＲ−ＰＢＣＨを含むが、ユーザ装置２００が２回取得したＮＲ−ＰＢＣＨは、それぞれ異なる送信周期に属する可能性がある。あるいは、ユーザ装置２００が想定するＳＳ  ｂｕｒｓｔ  ｓｅｔ  ｐｅｒｉｏｄｉｃｉｔｙが、例えば５ｍｓ等のさらに短い周期であった場合、ＮＲ−ＰＢＣＨは１つか取得されるか、又は取得できない可能性がある。
【００２５】
上述のように、ユーザ装置２００が想定するＳＳ  ｂｕｒｓｔ  ｓｅｔ  ｐｅｒｉｏｄｉｃｉｔｙが実際のＳＳ  ｂｕｒｓｔ  ｓｅｔ  ｐｅｒｉｏｄｉｃｉｔｙよりも短いため、ＮＲ−ＰＢＣＨを取得する動作に支障が発生する可能性があり、ＳＦＮの特定に失敗する可能性がある。
【００２６】
図４は、初期アクセスの動作例（３）を示す図である。図４において、ユーザ装置２００が想定するＳＳ  ｂｕｒｓｔ  ｓｅｔ  ｐｅｒｉｏｄｉｃｉｔｙは、実際のＳＳ  ｂｕｒｓｔ  ｓｅｔ  ｐｅｒｉｏｄｉｃｉｔｙよりも長い４０ｍｓとする。図４に示されるように、ユーザ装置２００は、１６０ｍｓの期間に、ＮＲ−ＰＢＣＨを少なくとも４回取得する。ユーザ装置２００は、ＮＲ−ＳＳの検出は成功する。ただし、設定されるＳｅａｒｃｈ  Ｗｉｎｄｏｗ内にＮＲ−ＳＳが複数検出される可能性がある。
【００２７】
また、ユーザ装置２００が１６０ｍｓの期間に取得した４つのＮＲ−ＰＢＣＨは、基地局装置１００から連続して送信されたＮＲ−ＰＢＣＨではない可能性がある。例えば、図４において、ユーザ装置２００は、無線フレームに配置されているＮＲ−ＰＢＣＨを、４０ｍｓごとに１つおきで取得する可能性がある。このとき、ＮＲ−ＰＢＣＨに含まれているＳＦＮを明示的に示す情報は、想定している情報と異なるため、ユーザ装置２００は、ＳＦＮの特定に失敗する可能性がある。
【００２８】
上述のように、ユーザ装置２００が想定するＳＳ  ｂｕｒｓｔ  ｓｅｔ  ｐｅｒｉｏｄｉｃｉｔｙが実際のＳＳ  ｂｕｒｓｔ  ｓｅｔ  ｐｅｒｉｏｄｉｃｉｔｙよりも長いため、ＮＲ−ＰＢＣＨを取得する動作に支障が発生する可能性がある。
【００２９】
図５は、ＳＳ  ｂｌｏｃｋ  ｉｎｄｅｘの通知例（１）を示す図である。図５において、ＳＳ  ｂｕｒｓｔ  ｓｅｔ  ｐｅｒｉｏｄｉｃｉｔｙは、２０ｍｓである。図５に示される無線フレームにおいて、３つのＳＳ  ｂｌｏｃｋが１つのＳＳ  ｂｕｒｓｔを構成し、２つのＳＳ  ｂｕｒｓｔがＳＳ  ｂｕｒｓｔ  ｓｅｔを構成する。ＳＳ  ｂｌｏｃｋ  ｉｎｄｅｘは、当該ＳＳ  ｂｌｏｃｋの時間的位置を示す情報であり、当該ＳＳ  ｂｌｏｃｋを識別する情報である。例えば、ＳＳ  ｂｌｏｃｋ  ｉｎｄｅｘは、基地局装置１００からユーザ装置２００へ、ＮＲ−ＰＢＣＨで通知されてもよい。
【００３０】
図５に示される「通知内容の例１」では、基地局装置１００は、ＳＳ  ｂｌｏｃｋ  ｉｎｄｅｘをＳＳ  ｂｕｒｓｔ単位でユーザ装置２００に通知する。すなわち、ＳＳ  ｂｕｒｓｔ  ｓｅｔ内に含まれる６つのＳＳ  ｂｌｏｃｋは、順に「０」「１」「２」「０」「１」「２」のようにＳＳ  ｂｌｏｃｋ  ｉｎｄｅｘが対応付けられる。また、例えば、ＳＳ  ｂｕｒｓｔ  ｓｅｔ内に含まれる６つのＳＳ  ｂｌｏｃｋは、順に「Ｌ−３」「Ｌ−２」「Ｌ−１」「Ｌ−３」「Ｌ−２」「Ｌ−１」のようにＳＳ  ｂｌｏｃｋ  ｉｎｄｅｘが対応付けられてもよい。
【００３１】
図５に示される「通知内容の例２」では、基地局装置１００は、ＳＳ  ｂｌｏｃｋ  ｉｎｄｅｘをＳＳ  ｂｕｒｓｔ単位でユーザ装置２００に通知し、さらに、ＳＳ  ｂｕｒｓｔ  ｉｎｄｅｘをＳＳ  ｂｌｏｃｋ  ｉｎｄｅｘと組み合わせて通知する。すなわち、ＳＳ  ｂｕｒｓｔ  ｓｅｔ内に含まれる６つのＳＳ  ｂｌｏｃｋは順に、「０」「１」「２」「０」「１」「２」のようにＳＳ  ｂｌｏｃｋ  ｉｎｄｅｘが対応付けられ、ＳＳ  ｂｕｒｓｔ  ｓｅｔ内に含まれる２つのＳＳ  ｂｕｒｓｔは、「０」「１」のようにＳＳ  ｂｕｒｓｔ  ｉｎｄｅｘが対応付けられる。
【００３２】
図６は、ＳＳ  ｂｌｏｃｋ  ｉｎｄｅｘの通知例（２）を示す図である。図６において、ＳＳ  ｂｕｒｓｔ  ｓｅｔ  ｐｅｒｉｏｄｉｃｉｔｙは、２０ｍｓである。図６に示される無線フレームにおいて、図５と同様に、３つのＳＳ  ｂｌｏｃｋが１つのＳＳ  ｂｕｒｓｔを構成し、２つのＳＳ  ｂｕｒｓｔがＳＳ  ｂｕｒｓｔ  ｓｅｔを構成する。
【００３３】
図６に示される「通知内容の例３」では、基地局装置１００は、ＳＳ  ｂｌｏｃｋ  ｉｎｄｅｘをＳＳ  ｂｕｒｓｔ  ｓｅｔ単位でユーザ装置２００に通知する。すなわち、ＳＳ  ｂｕｒｓｔ  ｓｅｔ内に含まれる６つのＳＳ  ｂｌｏｃｋは、順に「０」「１」「２」「３」「４」「５」のようにＳＳ  ｂｌｏｃｋ  ｉｎｄｅｘが対応付けられる。また、当該ＳＳ  ｂｕｒｓｔ  ｓｅｔの次のＳＳ  ｂｕｒｓｔ  ｓｅｔは、同様に「０」「１」「２」「３」「４」「５」のようにＳＳ  ｂｌｏｃｋ  ｉｎｄｅｘが対応付けられる。
【００３４】
（実施例１）
以下、実施例１について説明する。なお、以下の実施例１、２及び３においては、上述の基本例の技術に対する改善部分を説明している。したがって、特に説明をしない場合には、基本例が適用される。また、実施例１、２及び３は、それぞれ単独で実施されてもよいし、組み合わせが実施されてもよい。
【００３５】
図７は、本発明の実施の形態における初期アクセスのシーケンスの一例を示す図である。初期アクセスが開始されると、ステップＳ１において、基地局装置１００は、ＮＲ−ＰＳＳ、ＮＲ−ＳＳＳ及びＮＲ−ＰＢＣＨ、すなわちＳＳ  ｂｌｏｃｋを、ユーザ装置２００に送信する。ＮＲ−ＰＢＣＨには、ＳＳ  ｂｕｒｓｔ  ｓｅｔ  ｐｅｒｉｏｄｉｃｉｔｙを示す情報が含まれる。基地局装置１００は、複数のＳＳ  ｂｌｏｃｋで構成されるＳＳ  ｂｕｒｓｔ  ｓｅｔをＳＳ  ｂｕｒｓｔ  ｓｅｔ  ｐｅｒｉｏｄｉｃｉｔｙの周期で繰り返してユーザ装置２００に送信する。ＳＳ  ｂｕｒｓｔ  ｓｅｔに複数のＳＳ  ｂｌｏｃｋが含まれる場合、当該複数のＳＳ  ｂｌｏｃｋは、マルチビーム運用環境において、それぞれ異なるビームに関連付けられてもよい。
【００３６】
一方、ユーザ装置２００は、基地局装置１００から送信されるＮＲ−ＰＳＳを受信して、初期の時間及び周波数同期及びセルＩＤ（ｉｄｅｎｔｉｔｙ）の一部の特定に少なくとも使用する。また、ユーザ装置２００は、基地局装置１００から送信されるＮＲ−ＳＳＳを受信して、少なくともセルＩＤの一部の特定に使用する。また、ユーザ装置２００は、基地局装置１００から送信されるＮＲ−ＰＢＣＨを受信して、ＳＳ  ｂｕｒｓｔ  ｓｅｔ  ｐｅｒｉｏｄｉｃｉｔｙ及び初期アクセスに必要なシステム情報の一部、例えば、システムフレーム番号（ＳＦＮ：Ｓｙｓｔｅｍ  Ｆｒａｍｅ  Ｎｕｍｂｅｒ）及び他のシステム情報を取得するための情報等を取得する。当該他のシステム情報には、ランダムアクセス手順を実行するためのリソース等の情報が含まれる。ユーザ装置２００は、取得したＳＳ  ｂｕｒｓｔ  ｓｅｔ  ｐｅｒｉｏｄｉｃｉｔｙに基づいて、ＳＳ  ｂｌｏｃｋの送信周期をＳＳ  ｂｌｏｃｋの受信に利用することで、効率良くＳＳ  ｂｌｏｃｋを受信する。また、ＳＳ  ｂｕｒｓｔ  ｓｅｔに複数のＳＳ  ｂｌｏｃｋが含まれる場合、ユーザ装置２００は、あるＳＳ  ｂｌｏｃｋを取得すると、当該ＳＳ  ｂｌｏｃｋに関連付けられるビームに対応するリソースで、ランダムアクセス手順を開始する（Ｓ２）。
【００３７】
ステップＳ２において、基地局装置１００とユーザ装置２００との間でランダムアクセス手順が成功すると、初期アクセスは完了し、通常の通信が開始される（Ｓ３）。
【００３８】
図８は、本発明の実施の形態におけるＳＳ  ｂｕｒｓｔ  ｓｅｔ  ｐｅｒｉｏｄｉｃｉｔｙの通知例（１）を示す図である。図８において、ＳＳ  ｂｕｒｓｔ  ｓｅｔ  ｐｅｒｉｏｄｉｃｉｔｙは２０ｍｓである。図８に示される無線フレームにおいて、３つのＳＳ  ｂｌｏｃｋが１つのＳＳ  ｂｕｒｓｔを構成し、２つのＳＳ  ｂｕｒｓｔがＳＳ  ｂｕｒｓｔ  ｓｅｔを構成する。
【００３９】
図８に示されるように、基地局装置１００は、ＳＳ  ｂｌｏｃｋ  ｉｎｄｅｘをＳＳ  ｂｕｒｓｔ  ｓｅｔを単位としてユーザ装置２００に通知し、さらに、ＳＳ  ｂｕｒｓｔ  ｓｅｔ  ｐｅｒｉｏｄｉｃｉｔｙを組み合わせて通知する。ＳＳ  ｂｕｒｓｔ  ｓｅｔ  ｐｅｒｉｏｄｉｃｉｔｙは、ＳＳ  ｂｌｏｃｋごとにすべてのＳＳ  ｂｌｏｃｋに含まれてもよいし、ＳＳ  ｂｕｒｓｔ  ｓｅｔ  ｐｅｒｉｏｄｉｃｉｔｙを含むＳＳ  ｂｌｏｃｋと含まないＳＳ  ｂｌｏｃｋとが、ＳＳ  ｂｕｒｓｔ又はＳＳ  ｂｕｒｓｔ  ｓｅｔに混在してもよい。
【００４０】
一方、ユーザ装置２００は、ＳＳ  ｂｕｒｓｔ  ｓｅｔ  ｐｅｒｉｏｄｉｃｉｔｙ及びＳＳ  ｂｌｏｃｋ  ｉｎｄｅｘを含むＳＳ  ｂｌｏｃｋを受信することによって、正しい送信周期を想定して、ＮＲ−ＳＳの検出及びＮＲ−ＰＢＣＨの受信が可能となり、効率の良いセルサーチができる。また、ユーザ装置２００は、取得したＳＳ  ｂｌｏｃｋの送信周期であるＳＳ  ｂｕｒｓｔ  ｓｅｔ  ｐｅｒｉｏｄｉｃｉｔｙを知ることができるため、ＳＳ  ｂｌｏｃｋが存在しないリソースにおいてＳＳ  ｂｌｏｃｋを受信できなかったと判断することを防ぎ、また、ＳＳ  ｂｌｏｃｋが存在するリソースにおいてＳＳ  ｂｌｏｃｋを受信しないで取りこぼすことを防ぐことにより、正しくＳＦＮを特定することができる。したがって、ユーザ装置２００は、初期アクセス負荷を低減することができる。
【００４１】
さらに、基地局装置１００及びユーザ装置２００は、複数の異なるＳＳ  ｂｕｒｓｔ  ｓｅｔ  ｐｅｒｉｏｄｉｃｉｔｙの混在シナリオをサポートできるようになる。
【００４２】
なお、図５に示された通知内容の例２又は通知内容の例４で通知するＳＳ  ｂｌｏｃｋ  ｉｎｄｅｘと、ＳＳ  ｂｕｒｓｔ  ｓｅｔ  ｐｅｒｉｏｄｉｃｉｔｙの値とを組み合わせた情報を、基地局装置１００はユーザ装置２００に通知してもよい。
【００４３】
上述の実施例１により、基地局装置１００が、ＳＳ  ｂｕｒｓｔ  ｓｅｔ  ｐｅｒｉｏｄｉｃｉｔｙ、すなわち同期信号及びシステム情報が含まれるブロックセットの送信周期をユーザ装置２００に通知することで、ユーザ装置２００の効率の良い初期アクセスを実現することができる。
【００４４】
（実施例２）
図９は、本発明の実施の形態におけるＳＳ  ｂｕｒｓｔ  ｓｅｔ  ｐｅｒｉｏｄｉｃｉｔｙの通知例（２）を示す図である。ＳＳ  ｂｕｒｓｔ  ｓｅｔ  ｐｅｒｉｏｄｉｃｉｔｙが、２０ｍｓ又は５ｍｓの場合の通知例が示されている。
【００４５】
図９に示されるＳＳ  ｂｕｒｓｔ  ｓｅｔ  ｐｅｒｉｏｄｉｃｉｔｙが２０ｍｓ場合の無線フレームにおいて、３つのＳＳ  ｂｌｏｃｋが１つのＳＳ  ｂｕｒｓｔを構成し、２つのＳＳ  ｂｕｒｓｔがＳＳ  ｂｕｒｓｔ  ｓｅｔを構成する。基地局装置１００は、ＳＳ  ｂｌｏｃｋ  ｉｎｄｅｘをＳＳ  ｂｕｒｓｔ  ｓｅｔを単位としてユーザ装置２００に通知する。ここで、ＳＳ  ｂｌｏｃｋ  ｉｎｄｅｘは、予め定義されたＳＳ  ｂｕｒｓｔ  ｓｅｔ  ｐｅｒｉｏｄｉｃｉｔｙと関連付けられており、「０」「１」「２」「３」「４」「５」は、「２０ｍｓ」に関連づけられている。したがって、ユーザ装置２００は、ＳＳ  ｂｌｏｃｋ  ｉｎｄｅｘ「０」「１」「２」「３」「４」「５」であるＳＳ  ｂｌｏｃｋを取得した場合、ＳＳ  ｂｕｒｓｔ  ｓｅｔ  ｐｅｒｉｏｄｉｃｉｔｙは、「２０ｍｓ」であることが判別できる。さらに、ＳＳ  ｂｌｏｃｋ  ｉｎｄｅｘは、予め定義されたＳＳ  ｂｕｒｓｔ  ｓｅｔの構造と関連付けられてもよい。すなわち、ＳＳ  ｂｌｏｃｋ  ｉｎｄｅｘ「０」「１」「２」「３」「４」「５」は、３つのＳＳ  ｂｌｏｃｋが１つのＳＳ  ｂｕｒｓｔを構成し、２つのＳＳ  ｂｕｒｓｔがＳＳ  ｂｕｒｓｔ  ｓｅｔを構成する構造を有するという情報を含み、当該ＳＳ  ｂｌｏｃｋに順に振られているｉｎｄｅｘを意味してもよい。したがって、ユーザ装置２００は、ＳＳ  ｂｌｏｃｋ  ｉｎｄｅｘ「０」「１」「２」「３」「４」「５」を受信した場合、３つのＳＳ  ｂｌｏｃｋが１つのＳＳ  ｂｕｒｓｔを構成し、２つのＳＳ  ｂｕｒｓｔがＳＳ  ｂｕｒｓｔ  ｓｅｔを構成していると判断してもよい。
【００４６】
図９に示されるＳＳ  ｂｕｒｓｔ  ｓｅｔ  ｐｅｒｉｏｄｉｃｉｔｙが５ｍｓ場合の無線フレームにおいて、３つのＳＳ  ｂｌｏｃｋが１つのＳＳ  ｂｕｒｓｔを構成し、１つのＳＳ  ｂｕｒｓｔがＳＳ  ｂｕｒｓｔ  ｓｅｔを構成する。基地局装置１００は、ＳＳ  ｂｌｏｃｋ  ｉｎｄｅｘをＳＳ  ｂｕｒｓｔ  ｓｅｔを単位としてユーザ装置２００に通知する。ＳＳ  ｂｕｒｓｔ  ｓｅｔ  ｐｅｒｉｏｄｉｃｉｔｙが２０ｍｓの場合と同様に、ＳＳ  ｂｌｏｃｋ  ｉｎｄｅｘは、予め定義されたＳＳ  ｂｕｒｓｔ  ｓｅｔ  ｐｅｒｉｏｄｉｃｉｔｙと関連付けられており、「７」「８」「９」は、「５ｍｓ」に関連づけられている。したがって、ユーザ装置２００は、ＳＳ  ｂｌｏｃｋ  ｉｎｄｅｘ「７」「８」「９」であるＳＳ  ｂｌｏｃｋを取得した場合、ＳＳ  ｂｕｒｓｔ  ｓｅｔ  ｐｅｒｉｏｄｉｃｉｔｙは、「５ｍｓ」であることが判別できる。また、ＳＳ  ｂｕｒｓｔ  ｓｅｔ  ｐｅｒｉｏｄｉｃｉｔｙが２０ｍｓの場合と同様に、ＳＳ  ｂｌｏｃｋ  ｉｎｄｅｘは、予め定義されたＳＳ  ｂｕｒｓｔ  ｓｅｔの構造と関連付けられてもよい。すなわち、ＳＳ  ｂｌｏｃｋ  ｉｎｄｅｘ「７」「８」「９」は、３つのＳＳ  ｂｌｏｃｋが１つのＳＳ  ｂｕｒｓｔを構成し、１つのＳＳ  ｂｕｒｓｔがＳＳ  ｂｕｒｓｔ  ｓｅｔを構成する構造を有するという情報を含み、当該ＳＳ  ｂｌｏｃｋに順に振られているｉｎｄｅｘを意味してもよい。したがって、ユーザ装置２００は、ＳＳ  ｂｌｏｃｋ  ｉｎｄｅｘ「７」「８」「９」を受信した場合、３つのＳＳ  ｂｌｏｃｋが１つのＳＳ  ｂｕｒｓｔを構成し、１つのＳＳ  ｂｕｒｓｔがＳＳ  ｂｕｒｓｔ  ｓｅｔを構成していると判断してもよい。
【００４７】
上記のＳＳ  ｂｌｏｃｋ  ｉｎｄｅｘに関連付けられたＳＳ  ｂｕｒｓｔ  ｓｅｔ  ｐｅｒｉｏｄｉｃｉｔｙの値、ＳＳ  ｂｌｏｃｋの構成は、一例である。例えば、ＳＳ  ｂｕｒｓｔ  ｓｅｔ  ｐｅｒｉｏｄｉｃｉｔｙが１０ｍｓ、２つのＳＳ  ｂｌｏｃｋが１つのＳＳ  ｂｕｒｓｔを構成し、２つのＳＳ  ｂｕｒｓｔがＳＳ  ｂｕｒｓｔ  ｓｅｔを構成する場合に対応するＳＳ  ｂｌｏｃｋ  ｉｎｄｅｘを「１０」「１１」「１２」「１３」とする等、ＳＳ  ｂｌｏｃｋ  ｉｎｄｅｘに、予め定義されて関連付けられる情報は、適宜設定されてよい。
【００４８】
上述の実施例２により、基地局装置１００は、予め定義された情報が関連付けられたＳＳ  ｂｌｏｃｋ  ｉｎｄｅｘをユーザ装置２００に通知することで、ＳＳ  ｂｕｒｓｔ  ｓｅｔ  ｐｅｒｉｏｄｉｃｉｔｙ、すなわち同期信号及びシステム情報が含まれるブロックセットの送信周期をユーザ装置２００に通知することができる。ＳＳ  ｂｌｏｃｋ  ｉｎｄｅｘに予め定義された情報を関連付けることで、ＳＳ  ｂｕｒｓｔ  ｓｅｔ  ｐｅｒｉｏｄｉｃｉｔｙとＳＳ  ｂｌｏｃｋ  ｉｎｄｅｘとを個別に通知する場合に比べ、通知する情報量を削減することができる。
【００４９】
（実施例３）
図１０は、本発明の実施の形態におけるＳＳ  ｂｕｒｓｔ  ｓｅｔ  ｐｅｒｉｏｄｉｃｉｔｙの通知例（３）を示す図である。基地局装置１００は、ＳＳ  ｂｕｒｓｔ  ｓｅｔ  ｐｅｒｉｏｄｉｃｉｔｙそのものではなく、ＳＳ  ｂｕｒｓｔ  ｓｅｔ  ｐｅｒｉｏｄｉｃｉｔｙ及びＳＳ  ｂｕｒｓｔ  ｓｅｔの構造を示す符号（マッピングパターン）を予め定義して、当該符号をユーザ装置２００に通知する。図１０に示される「マッピングパターン（ａ）」に、ＳＳ  ｂｕｒｓｔ  ｓｅｔ  ｐｅｒｉｏｄｉｃｉｔｙが２０ｍｓであること、３つのＳＳ  ｂｌｏｃｋが１つのＳＳ  ｂｕｒｓｔを構成し、３つのＳＳ  ｂｕｒｓｔがＳＳ  ｂｕｒｓｔ  ｓｅｔを構成する構造を有すること、及び、一部あるいは全部のＳＳ  ｂｕｒｓｔ又はＳＳ  ｂｌｏｃｋの時間的な位置が、関連付けられて予め定義される。したがって、ユーザ装置２００が、符号「マッピングパターン（ａ）」を受信した場合、ＳＳ  ｂｕｒｓｔ  ｓｅｔ  ｐｅｒｉｏｄｉｃｉｔｙが２０ｍｓであること、３つのＳＳ  ｂｌｏｃｋが１つのＳＳ  ｂｕｒｓｔを構成し、３つのＳＳ  ｂｕｒｓｔがＳＳ  ｂｕｒｓｔ  ｓｅｔを構成する構造を有すること、及びＳＳ  ｂｕｒｓｔ又はＳＳ  ｂｌｏｃｋの時間的な位置を、ユーザ装置２００は特定できる。符号「マッピングパターン（ａ）」に関連付けられて定義される情報は、上記の情報のうち、例えば、ＳＳ  ｂｕｒｓｔ  ｓｅｔ  ｐｅｒｉｏｄｉｃｉｔｙ、等の一部でもよい。
【００５０】
同様に、図１０に示される「マッピングパターン（ｂ）」に、ＳＳ  ｂｕｒｓｔ  ｓｅｔ  ｐｅｒｉｏｄｉｃｉｔｙが２０ｍｓであること、３つのＳＳ  ｂｌｏｃｋが１つのＳＳ  ｂｕｒｓｔを構成し、２つのＳＳ  ｂｕｒｓｔがＳＳ  ｂｕｒｓｔ  ｓｅｔを構成する構造を有すること、及び、一部あるいは全部のＳＳ  ｂｕｒｓｔ又はＳＳ  ｂｌｏｃｋの時間的な位置が、関連付けられて予め定義される。したがって、ユーザ装置２００が、符号「マッピングパターン（ｂ）」を受信した場合、ＳＳ  ｂｕｒｓｔ  ｓｅｔ  ｐｅｒｉｏｄｉｃｉｔｙが２０ｍｓであること、３つのＳＳ  ｂｌｏｃｋが１つのＳＳ  ｂｕｒｓｔを構成し、２つのＳＳ  ｂｕｒｓｔがＳＳ  ｂｕｒｓｔ  ｓｅｔを構成する構造を有すること、及びＳＳ  ｂｕｒｓｔ又はＳＳ  ｂｌｏｃｋの時間的な位置を、ユーザ装置２００は特定できる。符号「マッピングパターン（ｂ）」に関連付けられて定義される情報は、上記の情報のうち、例えば、３つのＳＳ  ｂｌｏｃｋが１つのＳＳ  ｂｕｒｓｔを構成し、２つのＳＳ  ｂｕｒｓｔがＳＳ  ｂｕｒｓｔ  ｓｅｔを構成する構造、等の一部でもよい。
【００５１】
同様に、図１０に示される「マッピングパターン（ｃ）」に、ＳＳ  ｂｕｒｓｔ  ｓｅｔ  ｐｅｒｉｏｄｉｃｉｔｙが８０ｍｓであること、３つのＳＳ  ｂｌｏｃｋが１つのＳＳ  ｂｕｒｓｔを構成し、２つのＳＳ  ｂｕｒｓｔがＳＳ  ｂｕｒｓｔ  ｓｅｔを構成する構造を有すること、及び、一部あるいは全部のＳＳ  ｂｕｒｓｔ又はＳＳ  ｂｌｏｃｋの時間的な位置が、関連付けられて予め定義される。したがって、ユーザ装置２００が、符号「マッピングパターン（ｃ）」を受信した場合、ＳＳ  ｂｕｒｓｔ  ｓｅｔ  ｐｅｒｉｏｄｉｃｉｔｙが２０ｍｓであること、３つのＳＳ  ｂｌｏｃｋが１つのＳＳ  ｂｕｒｓｔを構成し、２つのＳＳ  ｂｕｒｓｔがＳＳ  ｂｕｒｓｔ  ｓｅｔを構成する構造を有すること、及びＳＳ  ｂｕｒｓｔ又はＳＳ  ｂｌｏｃｋの時間的な位置を、ユーザ装置２００は特定できる。符号「マッピングパターン（ｃ）」に関連付けられて定義される情報は、上記の情報のうち、例えば、ＳＳ  ｂｕｒｓｔ又はＳＳ  ｂｌｏｃｋの時間的な位置、等の一部でもよい。
【００５２】
なお、上述の符号に関連付けられて予め定義される情報は、適宜組み合わせられてよい。また、例えば、予め定義される情報に、ＳＳ  ｂｌｏｃｋ  ｉｎｄｅｘ、ＳＳ  ｂｕｒｓｔ  ｉｎｄｅｘ等の情報が含まれてもよい。
【００５３】
また、基地局装置１００は、ＳＳ  ｂｕｒｓｔ  ｓｅｔ  ｐｅｒｉｏｄｉｃｉｔｙの値を示す情報、又は上述のマッピングパターンを示す符号を、以下の方法でユーザ装置２００に通知しても良い。
１）ＮＲ−ＰＢＣＨにより、明示的に符号化して通知する。
２）ＮＲ−ＰＢＣＨによる以下の方法１−６により、暗黙的に符号化して通知する。
方法１：ＮＲ−ＰＢＣＨに含まれるＤＭＲＳ（Ｄｅｍｏｄｕｌａｔｉｏｎ  Ｒｅｆｅｒｅｎｃｅ  Ｓｉｇｎａｌ）の系列パターンに基づく通知
方法２：ＮＲ−ＰＢＣＨのスクランブリングコードに基づく通知
方法３：ＮＲ−ＰＢＣＨのＣＲＣ（Ｃｙｃｌｉｃ  Ｒｅｄｕｎｄａｎｃｙ  Ｃｈｅｃｋ）マスキングに基づく通知
方法４：ＮＲ−ＰＢＣＨのＲＶ（Ｒｅｄｕｎｄａｎｃｙ  Ｖｅｒｓｉｏｎ）に基づく通知
方法５：ＮＲ−ＰＢＣＨのスクランブリング前の符号化ビットに対するサイクリックシフト量に基づく通知
方法６：Ｐｏｌａｒ符号化時のタイムスタンプオフセットに基づく通知
３）ＮＲ−ＳＳＳ用のスクランブリング系列を用いて、暗黙的に符号化して通知する。具体的にはＮＲ−ＳＳＳを、ＳＳ  ｂｕｒｓｔ  ｓｅｔ  ｐｅｒｉｏｄｉｃｉｔｙに応じて異なる系列を用いてスクランブリングする。
【００５４】
上述の実施例３により、基地局装置１００は、ＳＳ  ｂｕｒｓｔ  ｓｅｔ  ｐｅｒｉｏｄｉｃｉｔｙ、すなわち同期信号及びシステム情報が含まれるブロックセットの送信周期をユーザ装置２００に効率良く通知することができる。
【００５５】
（装置構成）
次に、これまでに説明した処理及び動作を実行する基地局装置１００及びユーザ装置２００の機能構成例を説明する。基地局装置１００及びユーザ装置２００はそれぞれ、少なくとも実施例１及び２を実施する機能を含む。ただし、基地局装置１００及びユーザ装置２００はそれぞれ、実施例１及び２の中の一部の機能のみを備えることとしてもよい。
【００５６】
＜基地局装置１００＞
図１１は、基地局装置１００の機能構成の一例を示す図である。図１１に示されるように、基地局装置１００は、送信部１１０と、受信部１２０と、設定情報管理部１３０と、初期アクセス情報設定部１４０とを有する。図１１に示される機能構成は一例に過ぎない。本実施の形態に係る動作を実行できるのであれば、機能区分及び機能部の名称はどのようなものでもよい。
【００５７】
送信部１１０は、ユーザ装置２００側に送信する信号を生成し、当該信号を無線で送信する機能を含む。受信部１２０は、ユーザ装置２００から送信された各種の信号を受信し、受信した信号から、例えばより上位のレイヤの情報を取得する機能を含む。また、送信部１１０は、ユーザ装置２００へＮＲ−ＰＳＳ、ＮＲ−ＳＳＳ、ＮＲ−ＰＢＣＨ、ＤＬ／ＵＬ制御信号等を送信する機能を有する。
【００５８】
設定情報管理部１３０は、予め設定される設定情報、及び、ユーザ装置２００に送信する各種の設定情報を格納する。設定情報の内容は、例えば、ＮＲ−ＰＳＳ及びＮＲ−ＳＳＳの信号に係る情報、ＮＲ−ＰＢＣＨに含まれる情報、ＳＳ  ｂｕｒｓｔ  ｓｅｔ内に含まれるＳＳ  ｂｌｏｃｋの構成、ＳＳ  ｂｕｒｓｔ  ｓｅｔ  ｐｅｒｉｏｄｉｃｉｔｙ、ＳＳ  ｂｌｏｃｋ  ｉｎｄｅｘ、ランダムアクセスに係る情報等である。
【００５９】
初期アクセス情報設定部１４０は、基本例、実施例１−３において説明した、基地局装置１００におけるＳＳ  ｂｌｏｃｋ、すなわち、ＮＲ−ＰＳＳ、ＮＲ−ＳＳＳ及びＮＲ−ＰＢＣＨを無線フレームへ配置する。また、ＮＲ−ＰＢＣＨに含まれるＳＳ  ｂｕｒｓｔ  ｓｅｔ  ｐｅｒｉｏｄｉｃｉｔｙ、ＳＳ  ｂｌｏｃｋ  ｉｎｄｅｘ等の情報を設定する。初期アクセス情報設定部１４０でＳＳ  ｂｌｏｃｋを配置された無線フレームは、送信部１１０で使用される。
【００６０】
＜ユーザ装置２００＞
図１２は、ユーザ装置２００の機能構成の一例を示す図である。図１２に示されるように、ユーザ装置２００は、送信部２１０と、受信部２２０と、設定情報管理部２３０と、初期アクセス制御部２４０とを有する。図１２に示される機能構成は一例に過ぎない。本実施の形態に係る動作を実行できるのであれば、機能区分及び機能部の名称はどのようなものでもよい。
【００６１】
送信部２１０は、送信データから送信信号を作成し、当該送信信号を無線で送信する。受信部２２０は、各種の信号を無線受信し、受信した物理レイヤの信号からより上位のレイヤの信号を取得する。また、受信部２２０は、基地局装置１００から送信されるＮＲ−ＰＳＳ、ＮＲ−ＳＳＳ、ＮＲ−ＰＢＣＨ、ＤＬ／ＵＬ制御信号等を受信する機能を有する。
【００６２】
設定情報管理部２３０は、受信部２２０により基地局装置１００から受信した各種の設定情報を格納する。また、設定情報管理部２３０は、予め設定される設定情報も格納する。設定情報の内容は、例えば、ＮＲ−ＰＳＳ及びＮＲ−ＳＳＳの信号に係る情報、ＮＲ−ＰＢＣＨに含まれる情報、ＳＳ  ｂｕｒｓｔ  ｓｅｔ内に含まれるＳＳ  ｂｌｏｃｋの構成、ＳＳ  ｂｕｒｓｔ  ｓｅｔ  ｐｅｒｉｏｄｉｃｉｔｙ、ＳＳ  ｂｌｏｃｋ  ｉｎｄｅｘ、ランダムアクセスに係る情報等である。
【００６３】
初期アクセス制御部２４０は、基本例、実施例１−３において説明した、ユーザ装置２００における初期アクセスに係る制御を行う。なお、初期アクセス制御部２４０における信号送信に関する機能部を送信部２１０に含め、初期アクセス制御部２４０における信号受信に関する機能部を受信部２２０に含めてもよい。
【００６４】
＜ハードウェア構成＞
上述の本発明の実施の形態の説明に用いた機能構成図（図１１及び図１２）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に複数要素が結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００６５】
また、例えば、本発明の一実施の形態における基地局装置１００及びユーザ装置２００はいずれも、本実施の形態に係る処理を行うコンピュータとして機能してもよい。図１３は、本発明の実施の形態に係る基地局装置１００又はユーザ装置２００である無線通信装置のハードウェア構成の一例を示す図である。上述の基地局装置１００及びユーザ装置２００はそれぞれ、物理的には、プロセッサ１００１、メモリ１００２、ストレージ１００３、通信装置１００４、入力装置１００５、出力装置１００６、バス１００７などを含むコンピュータ装置として構成されてもよい。
【００６６】
なお、以下の説明では、「装置」という文言は、回路、デバイス、ユニットなどに読み替えることができる。基地局装置１００及びユーザ装置２００のハードウェア構成は、図に示した１００１〜１００６で示される各装置を１つ又は複数含むように構成されてもよいし、一部の装置を含まずに構成されてもよい。
【００６７】
基地局装置１００及びユーザ装置２００における各機能は、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【００６８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Ｃｅｎｔｒａｌ  Ｐｒｏｃｅｓｓｉｎｇ  Ｕｎｉｔ）で構成されてもよい。
【００６９】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、図１０に示した基地局装置１００の送信部１１０、受信部１２０、設定情報管理部１３０、初期アクセス情報設定部１４０は、メモリ１００２に格納され、プロセッサ１００１で動作する制御プログラムによって実現されてもよい。また、例えば、図１２に示したユーザ装置２００の送信部２１０と、受信部２２０と、設定情報管理部２３０、初期アクセス制御部２４０は、メモリ１００２に格納され、プロセッサ１００１で動作する制御プログラムによって実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００７０】
メモリ１００２は、コンピュータ読み取り可能な記録媒体であり、例えば、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）、ＲＡＭ（Ｒａｎｄｏｍ  Ａｃｃｅｓｓ  Ｍｅｍｏｒｙ）などの少なくとも１つで構成されてもよい。メモリ１００２は、レジスタ、キャッシュ、メインメモリ（主記憶装置）などと呼ばれてもよい。メモリ１００２は、本発明の一実施の形態に係る処理を実施するために実行可能なプログラム（プログラムコード）、ソフトウェアモジュールなどを保存することができる。
【００７１】
ストレージ１００３は、コンピュータ読み取り可能な記録媒体であり、例えば、ＣＤ−ＲＯＭ（Ｃｏｍｐａｃｔ  Ｄｉｓｃ  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００７２】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、基地局装置１００の送信部１１０及び受信部１２０は、通信装置１００４で実現されてもよい。また、ユーザ装置２００の送信部２１０及び受信部２２０は、通信装置１００４で実現されてもよい。
【００７３】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００７４】
また、プロセッサ１００１及びメモリ１００２などの各装置は、情報を通信するためのバス１００７で接続される。バス１００７は、単一のバスで構成されてもよいし、装置間で異なるバスで構成されてもよい。
【００７５】
また、基地局装置１００及びユーザ装置２００はそれぞれ、マイクロプロセッサ、デジタル信号プロセッサ（ＤＳＰ：Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００７６】
（実施の形態のまとめ）
以上、説明したように、本発明の実施の形態によれば、ユーザ装置と通信を行う基地局装置であって、同期信号及びシステム情報が含まれる１又は複数のブロックから構成されるブロックセットの送信周期を示す情報を、前記ブロックに設定する設定部と、前記送信周期で前記ブロックセットを前記ユーザ装置に送信し、前記ブロックに含まれるシステム情報に基づいて、前記ユーザ装置と初期アクセスを行う通信部とを有する基地局装置が提供される。
【００７７】
上記の構成により、基地局装置１００とユーザ装置２００とを有する無線通信システムにおいて、基地局装置１００が同期信号及びシステム情報が含まれる１又は複数のブロックから構成されるブロックセットの送信周期すなわちＳＳ  ｂｕｒｓｔ  ｓｅｔ  ｐｅｒｉｏｄｉｃｉｔｙをユーザ装置２００に通知することで、基地局装置１００とユーザ装置２００との間で効率の良い初期アクセスを実現することができる。
【００７８】
前記ブロックは、前記ブロックの時間的位置を示す情報をさらに含んでもよい。当該構成により、ユーザ装置２００は、ＳＳ  ｂｌｏｃｋの効率の良い取得が可能になる。
【００７９】
前記ブロックの時間的位置を示す情報は、前記ブロックセットごとに定義され、さらに、前記ブロックセットの送信周期に関連付けられてもよい。当該構成により、基地局装置１００は、前記ブロックセットの送信周期すなわちＳＳ  ｂｕｒｓｔ  ｓｅｔ  ｐｅｒｉｏｄｉｃｉｔｙと前記ブロックの時間的位置を示す情報すなわちＳＳ  ｂｌｏｃｋ  ｉｎｄｅｘとを個別に通知する場合に比べ、通知する情報量を削減することができる。
【００８０】
前記ブロックは、前記ブロックセットの送信周期、前記ブロックセットの構造又は前記ブロックの時間的位置を示す情報に関連付けられる予め定義された符号を含み、前記符号は、前記システム情報を含むチャネルに明示的又は暗黙的に符号化されてもよい。当該構成により、基地局装置１００は、ブロックすなわちＳＳ  ｂｌｏｃｋに係る種々の情報を、ユーザ装置２００に効率良く送信することができる。
【００８１】
また、本発明の実施の形態によれば、基地局装置と通信を行うユーザ装置であって、
同期信号及びシステム情報が含まれる１又は複数のブロックから構成されるブロックセットの送信周期を示す情報を含む前記ブロックを前記基地局装置から受信し、前記送信周期に基づいて前記ブロックを受信する受信部と、前記ブロックに含まれるシステム情報に基づいて、前記基地局装置と初期アクセスを行う制御部とを有するユーザ装置が提供される。
【００８２】
上記の構成により、基地局装置１００とユーザ装置２００とを有する無線通信システムにおいて、ユーザ装置２００は、同期信号及びシステム情報が含まれる１又は複数のブロックから構成されるブロックセットの送信周期すなわちＳＳ  ｂｕｒｓｔ  ｓｅｔ  ｐｅｒｉｏｄｉｃｉｔｙを基地局装置から取得することで、基地局装置１００とユーザ装置２００との間で効率の良い初期アクセスを実現することができる。
【００８３】
また、本発明の実施の形態によれば、ユーザ装置と通信を行う基地局装置が実行する通信方法であって、同期信号及びシステム情報が含まれる１又は複数のブロックから構成されるブロックセットの送信周期を示す情報を、前記ブロックに設定する設定手順と、前記送信周期で前記ブロックを前記ユーザ装置に送信する送信手順と、前記ブロックに含まれるシステム情報に基づいて、前記ユーザ装置と初期アクセスを行う通信手順とを実行する通信方法が提供される。
【００８４】
上記の構成により、基地局装置１００とユーザ装置２００とを有する無線通信システムにおいて、基地局装置１００は、同期信号及びシステム情報が含まれる１又は複数のブロックから構成されるブロックセットの送信周期すなわちＳＳ  ｂｕｒｓｔ  ｓｅｔ  ｐｅｒｉｏｄｉｃｉｔｙをユーザ装置２００に通知することで、基地局装置１００とユーザ装置２００との間で効率の良い初期アクセスを実現することができる。
【００８５】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、基地局装置１００及びユーザ装置２００は機能的なブロック図を用いて説明されたが、そのような装置はハードウェアで、ソフトウェアで又はそれらの組み合わせで実現されてもよい。本発明の実施の形態に従って基地局装置１００が有するプロセッサにより動作するソフトウェア及び本発明の実施の形態に従ってユーザ装置２００が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００８６】
また、情報の通知は、本明細書で説明した態様／実施形態に限られず、他の方法で行われてもよい。例えば、情報の通知は、物理レイヤシグナリング（例えば、ＤＣＩ（Ｄｏｗｎｌｉｎｋ  Ｃｏｎｔｒｏｌ  Ｉｎｆｏｒｍａｔｉｏｎ）、ＵＣＩ（Ｕｐｌｉｎｋ  Ｃｏｎｔｒｏｌ  Ｉｎｆｏｒｍａｔｉｏｎ））、上位レイヤシグナリング（例えば、ＲＲＣ（Ｒａｄｉｏ  Ｒｅｓｏｕｒｃｅ  Ｃｏｎｔｒｏｌ）シグナリング、ＭＡＣ（Ｍｅｄｉｕｍ  Ａｃｃｅｓｓ  Ｃｏｎｔｒｏｌ）シグナリング、ブロードキャスト情報（ＭＩＢ（Ｍａｓｔｅｒ  Ｉｎｆｏｒｍａｔｉｏｎ  Ｂｌｏｃｋ）、ＳＩＢ（Ｓｙｓｔｅｍ  Ｉｎｆｏｒｍａｔｉｏｎ  Ｂｌｏｃｋ））、その他の信号又はこれらの組み合わせによって実施されてもよい。また、ＲＲＣシグナリングは、ＲＲＣメッセージと呼ばれてもよく、例えば、ＲＲＣ接続セットアップ（ＲＲＣ  Ｃｏｎｎｅｃｔｉｏｎ  Ｓｅｔｕｐ）メッセージ、ＲＲＣ接続再構成（ＲＲＣ  Ｃｏｎｎｅｃｔｉｏｎ  Ｒｅｃｏｎｆｉｇｕｒａｔｉｏｎ）メッセージなどであってもよい。
【００８７】
本明細書で説明した各態様／実施形態は、ＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）、ＳＵＰＥＲ  ３Ｇ、ＩＭＴ−Ａｄｖａｎｃｅｄ、４Ｇ、５Ｇ、ＦＲＡ（Ｆｕｔｕｒｅ  Ｒａｄｉｏ  Ａｃｃｅｓｓ）、Ｗ−ＣＤＭＡ（登録商標）、ＧＳＭ（登録商標）、ＣＤＭＡ２０００、ＵＭＢ（Ｕｌｔｒａ  Ｍｏｂｉｌｅ  Ｂｒｏａｄｂａｎｄ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ｕｌｔｒａ−ＷｉｄｅＢａｎｄ）、Ｂｌｕｅｔｏｏｔｈ（登録商標）、その他の適切なシステムを利用するシステム及び／又はこれらに基づいて拡張された次世代システムに適用されてもよい。
【００８８】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００８９】
本明細書において基地局装置１００によって行われるとした特定動作は、場合によってはその上位ノード（ｕｐｐｅｒ  ｎｏｄｅ）によって行われることもある。基地局装置１００装置を有する１つ又は複数のネットワークノード（ｎｅｔｗｏｒｋ  ｎｏｄｅｓ）からなるネットワークにおいて、ユーザ装置２００との通信のために行われる様々な動作は、基地局装置１００及び／又は基地局装置１００以外の他のネットワークノード（例えば、ＭＭＥ又はＳ−ＧＷなどが考えられるが、これらに限られない）によって行われ得ることは明らかである。上記において基地局装置１００以外の他のネットワークノードが１つである場合を例示したが、複数の他のネットワークノードの組み合わせ（例えば、ＭＭＥ及びＳ−ＧＷ）であってもよい。
【００９０】
本明細書で説明した各態様／実施形態は単独で用いてもよいし、組み合わせて用いてもよいし、実行に伴って切り替えて用いてもよい。
【００９１】
ユーザ装置２００は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【００９２】
基地局装置１００は、当業者によって、ＮＢ（ＮｏｄｅＢ）、ｅＮＢ（ｅｎｈａｎｃｅｄ  ＮｏｄｅＢ）、ｇＮＢ、ベースステーション（Ｂａｓｅ  Ｓｔａｔｉｏｎ）、又はいくつかの他の適切な用語で呼ばれる場合もある。
【００９３】
本明細書で使用する「判断（ｄｅｔｅｒｍｉｎｉｎｇ）」、「決定（ｄｅｔｅｒｍｉｎｉｎｇ）」という用語は、多種多様な動作を包含する場合がある。「判断」、「決定」は、例えば、判定（ｊｕｄｇｉｎｇ）、計算（ｃａｌｃｕｌａｔｉｎｇ）、算出（ｃｏｍｐｕｔｉｎｇ）、処理（ｐｒｏｃｅｓｓｉｎｇ）、導出（ｄｅｒｉｖｉｎｇ）、調査（ｉｎｖｅｓｔｉｇａｔｉｎｇ）、探索（ｌｏｏｋｉｎｇ  ｕｐ）（例えば、テーブル、データベース又は別のデータ構造での探索）、確認（ａｓｃｅｒｔａｉｎｉｎｇ）した事を「判断」「決定」したとみなす事などを含み得る。また、「判断」、「決定」は、受信（ｒｅｃｅｉｖｉｎｇ）（例えば、情報を受信すること）、送信（ｔｒａｎｓｍｉｔｔｉｎｇ）（例えば、情報を送信すること）、入力（ｉｎｐｕｔ）、出力（ｏｕｔｐｕｔ）、アクセス（ａｃｃｅｓｓｉｎｇ）（例えば、メモリ中のデータにアクセスすること）した事を「判断」「決定」したとみなす事などを含み得る。また、「判断」、「決定」は、解決（ｒｅｓｏｌｖｉｎｇ）、選択（ｓｅｌｅｃｔｉｎｇ）、選定（ｃｈｏｏｓｉｎｇ）、確立（ｅｓｔａｂｌｉｓｈｉｎｇ）、比較（ｃｏｍｐａｒｉｎｇ）などした事を「判断」「決定」したとみなす事を含み得る。つまり、「判断」「決定」は、何らかの動作を「判断」「決定」したとみなす事を含み得る。
【００９４】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００９５】
「含む（ｉｎｃｌｕｄｅ）」、「含んでいる（ｉｎｃｌｕｄｉｎｇ）」、及びそれらの変形が、本明細書あるいは特許請求の範囲で使用されている限り、これら用語は、用語「備える（ｃｏｍｐｒｉｓｉｎｇ）」と同様に、包括的であることが意図される。さらに、本明細書あるいは特許請求の範囲において使用されている用語「又は（ｏｒ）」は、排他的論理和ではないことが意図される。
【００９６】
本開示の全体において、例えば、英語でのａ、ａｎ及びｔｈｅのように、翻訳により冠詞が追加された場合、これらの冠詞は、文脈から明らかにそうではないことが示されていなければ、複数のものを含み得る。
【００９７】
なお、ＳＳ  ｂｌｏｃｋ又はＳＳ  ｂｕｒｓｔは、同期信号及びシステム情報が含まれるブロックの一例である。ＳＳ  ｂｕｒｓｔ  ｓｅｔは、同期信号及びシステム情報が含まれる１又は複数のブロックから構成されるブロックセットの一例である。ＳＳ  ｂｕｒｓｔ  ｓｅｔ  ｐｅｒｉｏｄｉｃｉｔｙは、同期信号及びシステム情報が含まれる１又は複数のブロックから構成されるブロックセットの送信周期の一例である。初期アクセス情報設定部１４０は、設定部の一例である。送信部１１０又は受信部１２０は、通信部の一例である。初期アクセス制御部２４０は、制御部の一例である。ＮＲ−ＰＢＣＨは、システム情報を含むチャネルの一例である。
【００９８】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００９９】
１００      基地局装置
２００      ユーザ装置
１１０      送信部
１２０      受信部
１３０      設定情報管理部
１４０      初期アクセス情報設定部
２００      ユーザ装置
２１０      送信部
２２０      受信部
２３０      設定情報管理部
２４０      初期アクセス制御部
１００１  プロセッサ
１００２  メモリ
１００３  ストレージ
１００４  通信装置
１００５  入力装置
１００６  出力装置
【図１】
2018203417.tif 000003
【図２】
2018203417.tif 000004
【図３】
2018203417.tif 000005
【図４】
2018203417.tif 000006
【図５】
2018203417.tif 000007
【図６】
2018203417.tif 000008
【図７】
2018203417.tif 000009
【図８】
2018203417.tif 000010
【図９】
2018203417.tif 000011
【図１０】
2018203417.tif 000012
【図１１】
2018203417.tif 000013
【図１２】
2018203417.tif 000014
【図１３】
2018203417.tif 000015
【手続補正書】
【提出日】令和1年11月1日(2019.11.1)
【手続補正１】
【補正対象書類名】特許請求の範囲
【補正対象項目名】全文
【補正方法】変更
【補正の内容】
【特許請求の範囲】
【請求項１】
同期信号及びシステム情報が含まれるブロックの送信周期を示す情報を含む前記ブロックを基地局装置から受信し、前記送信周期に基づいて前記ブロックを受信する受信部と、
前記ブロックに含まれるシステム情報に基づいてランダムアクセスを実行するための情報を取得し、前記ランダムアクセスを実行するための情報を使用して、前記基地局装置とランダムアクセスを行う制御部とを有し、
前記ブロックの時間的な位置に対応するインデックスは、前記システム情報が送信されるチャネルの参照信号の系列及び前記システム情報が送信されるチャネルにより通知されるデータの一部に関連付けられる端末。
【請求項２】
同期信号及びシステム情報が含まれるブロックの送信周期を示す情報を、端末に送信する送信部と、
前記送信周期で前記ブロックを前記端末に送信し、前記ブロックに含まれるシステム情報に基づいたランダムアクセスを実行するための情報を使用して、前記端末とランダムアクセスを行う通信部とを有し、
前記ブロックの時間的な位置に対応するインデックスは、前記システム情報が送信されるチャネルの参照信号の系列及び前記システム情報が送信されるチャネルにより通知されるデータの一部に関連付けられる基地局装置。
【請求項３】
端末が実行する通信方法であって、
同期信号及びシステム情報が含まれるブロックの送信周期を示す情報を基地局装置から受信し、前記送信周期に基づいて前記ブロックを受信する受信手順と、
前記ブロックに含まれるシステム情報に基づいてランダムアクセスを実行するための情報を取得し、前記ランダムアクセスを実行するための情報を使用して、前記基地局装置とランダムアクセスを行う制御手順とを端末が実行し、
前記ブロックの時間的な位置に対応するインデックスは、前記システム情報が送信されるチャネルの参照信号の系列及び前記システム情報が送信されるチャネルにより通知されるデータの一部に関連付けられる通信方法。
【請求項４】
基地局装置が実行する通信方法であって、
同期信号及びシステム情報が含まれるブロックの送信周期を示す情報を、端末に送信する送信手順と、
前記送信周期で前記ブロックを前記端末に送信し、前記ブロックに含まれるシステム情報に基づいたランダムアクセスを実行するための情報を使用して、前記端末とランダムアクセスを行う通信手順とを基地局装置が実行し、
前記ブロックの時間的な位置に対応するインデックスは、前記システム情報が送信されるチャネルの参照信号の系列及び前記システム情報が送信されるチャネルにより通知されるデータの一部に関連付けられる通信方法。
【手続補正３】
【補正対象書類名】明細書
【補正対象項目名】０００９
【補正方法】変更
【補正の内容】
【０００９】
開示の技術によれば、同期信号及びシステム情報が含まれるブロックの送信周期を示す情報を含む前記ブロックを基地局装置から受信し、前記送信周期に基づいて前記ブロックを受信する受信部と、前記ブロックに含まれるシステム情報に基づいてランダムアクセスを実行するための情報を取得し、前記ランダムアクセスを実行するための情報を使用して、前記基地局装置とランダムアクセスを行う制御部とを有し、前記ブロックの時間的な位置に対応するインデックスは、前記システム情報が送信されるチャネルの参照信号の系列及び前記システム情報が送信されるチャネルにより通知されるデータの一部に関連付けられる端末が提供される。
【手続補正４】
【補正対象書類名】明細書
【補正対象項目名】００９８
【補正方法】変更
【補正の内容】
【００９８】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
（付記）
以上説明した実施の形態に関し、更に以下の付記のようにも記載できる。
（付記１）
ユーザ装置と通信を行う基地局装置であって、
同期信号及びシステム情報が含まれる１又は複数のブロックから構成されるブロックセットの送信周期を示す情報を、前記ブロックに設定する設定部と、
前記送信周期で前記ブロックセットを前記ユーザ装置に送信し、前記ブロックに含まれるシステム情報に基づいて、前記ユーザ装置と初期アクセスを行う通信部とを有する基地局装置。
（付記２）
前記ブロックは、前記ブロックの時間的位置を示す情報をさらに含む付記１記載の基地局装置。
（付記３）
前記ブロックの時間的位置を示す情報は、前記ブロックセットごとに定義され、さらに、前記送信周期に関連付けられる付記２記載の基地局装置。
（付記４）
前記ブロックは、前記送信周期、前記ブロックセットの構造又は前記ブロックの時間的位置に関連付けられる予め定義された符号を含み、前記符号は、前記システム情報を含むチャネルに明示的又は暗黙的に符号化される付記１記載の基地局装置。
（付記５）
基地局装置と通信を行うユーザ装置であって、
同期信号及びシステム情報が含まれる１又は複数のブロックから構成されるブロックセットの送信周期を示す情報を含む前記ブロックを前記基地局装置から受信し、前記送信周期に基づいて前記ブロックを受信する受信部と、
前記ブロックに含まれるシステム情報に基づいて、前記基地局装置と初期アクセスを行う制御部とを有するユーザ装置。
（付記６）
ユーザ装置と通信を行う基地局装置が実行する通信方法であって、
同期信号及びシステム情報が含まれる１又は複数のブロックから構成されるブロックセットの送信周期を示す情報を、前記ブロックに設定する設定手順と、
前記送信周期で前記ブロックセットを前記ユーザ装置に送信する送信手順と、
前記ブロックに含まれるシステム情報に基づいて、前記ユーザ装置と初期アクセスを行う通信手順とを実行する通信方法。
【国際調査報告】
2018203417.tif 000016
2018203417.tif 000017
2018203417.tif 000018
2018203417.tif 000019